(57)【要約】【課題】  ＡＴＭ装置の異常発生等の検出を確実に行うことができ、信頼性の高いＡＴＭ装置監視システムを得る。【解決手段】  状態送出手段１０９は、自ＡＴＭ装置の装置状態データをアイドルセルに入れて送出する。装置状態保存手段１０８のセル種別検出器１０１は、主信号セルがアイドルセルであることを検出した場合、そのアイドルセルに含まれる他ＡＴＭ装置の装置状態データを監視情報保存部１０２に送出する。監視情報保存部１０２は、この装置状態データを監視用データとして保存する。【選択図】        図１
2006197123.tif 000002
【特許請求の範囲】
【請求項１】
ＡＴＭセルを用いてデータ伝送を行うＡＴＭ装置に設けられ、
自ＡＴＭ装置の装置状態データをアイドルセルに入れて送出する状態送出手段と、
前記アイドルセルを受信した場合、当該アイドルセルに含まれる他ＡＴＭ装置の装置状態データを保存する装置状態保存手段とを備えたＡＴＭ装置監視システム。
【請求項２】
他ＡＴＭ装置の装置状態データを保存した場合、アイドルセルに対して、検出済の情報を付加する検出済ビット反転部を備え、
装置状態保存手段は、アイドルセルに検出済の情報が含まれていない場合に、他ＡＴＭ装置の装置状態データを保存することを特徴とする請求項１記載のＡＴＭ装置監視システム。
【請求項３】
装置状態保存手段に保存された他ＡＴＭ装置の装置状態データを、ＡＴＭ装置を監視する監視部に送出する監視制御部を備えたことを特徴とする請求項１または請求項２記載のＡＴＭ装置監視システム。
【請求項４】
監視部は、いずれかのＡＴＭ装置より装置状態データが受信できなかった場合、他のＡＴＭ装置からの装置状態データに基づいて、前記装置状態データが受信できなかったＡＴＭ装置の状態を認識することを特徴とする請求項３記載のＡＴＭ装置監視システム。
【請求項５】
監視部は、複数のＡＴＭ装置から取得した、装置状態データが受信できなかったＡＴＭ装置の装置状態データに含まれる異常箇所が一致した場合、当該一致した異常箇所を前記装置状態データが受信できなかったＡＴＭ装置の異常箇所と特定することを特徴とする請求項４記載のＡＴＭ装置監視システム。
【請求項６】
複数のＡＴＭ装置の中で、所定値以上の負荷を有するＡＴＭ装置があった場合、当該ＡＴＭ装置の装置状態データを、他のＡＴＭ装置から取得する負荷監視制御手段を備えたことを特徴とする請求項１から請求項５のうちのいずれか１項記載のＡＴＭ装置監視システム。
【発明の詳細な説明】
【技術分野】
【０００１】
この発明は、ＡＴＭ（Ａｓｙｎｃｈｒｏｎｏｕｓ  Ｔｒａｎｓｆｅｒ  Ｍｏｄｅ：非同期転送モード）インタフェースを有するＡＴＭ通信装置の状態監視を行うＡＴＭ装置監視システムに関するものである。
【背景技術】
【０００２】
従来、ＡＴＭ装置の状態監視を行うシステムとして、ＡＴＭセル中の制御用セルやアイドルセルなどのセル処理装置では処理を行わないセルを利用して、セル処理装置内での故障を検出するようにしたものがあった（例えば、特許文献１参照）。この装置は、セル処理装置では処理を行わないセルを、セル処理装置内で使用していないＶＰＩ（Ｖｉｒｔｕａｌ  Ｐａｔｈ  Ｉｄｅｎｔｉｆｉｅｒ）とＶＣＩ（Ｖｉｒｔｕａｌ  Ｃｈａｎｎｅｌ  Ｉｄｅｎｔｉｆｉｅｒ）の組み合わせを持つ監視セルにより上書きし、監視対象である演算回路の前段で印加して演算回路内を転送させ、その結果得られる演算回路の動作状態を表す監視情報信号ＣＨＫと期待値Ｅとを比較照合して、その一致／不一致から演算回路の回路故障を検出するようにしたものである。
【０００３】
【特許文献１】特開平０９−２１４５１１号公報
【発明の開示】
【発明が解決しようとする課題】
【０００４】
しかしながら、上記従来のＡＴＭ装置監視システムは、演算回路とＣＨＫ回路で構成され比較照合するものの、結果を通知するところまでの規定はなく、故障時は監視制御機能（故障検出→通知）そのものが故障する場合もあり、その場合は、故障検出が遅れたり、故障原因を特定するデータが抽出できなかったりという問題があった。
【０００５】
この発明は上記のような課題を解決するためになされたもので、ＡＴＭ装置の異常発生等の検出を確実に行うことができ、信頼性の高いＡＴＭ装置監視システムを得ることを目的とする。
【課題を解決するための手段】
【０００６】
この発明に係るＡＴＭ装置監視システムは、ＡＴＭセルを用いてデータ伝送を行うＡＴＭ装置に、自ＡＴＭ装置の装置状態データをアイドルセルに入れて送出する状態送出手段と、アイドルセルを受信した場合、そのアイドルセルに含まれる他ＡＴＭ装置の装置状態データを保存する装置状態保存手段とを設けたものである。
【発明の効果】
【０００７】
この発明のＡＴＭ装置監視システムは、アイドルセルを用いて、各ＡＴＭ装置で装置状態データを共有するようにしたので、ＡＴＭ装置の異常発生等の検出を確実に行うことができ、信頼性の高いＡＴＭ装置監視システムを得ることができる。
【発明を実施するための最良の形態】
【０００８】
実施の形態１．
図１は、この発明の実施の形態１によるＡＴＭ装置監視システムの主要部を示す構成図であるが、この説明に先立ち、その全体構成を説明する。
図３は、本実施の形態のＡＴＭ装置監視システムの全体構成と動作を示す説明図であるが、これを援用してシステムの全体構成を先ず説明する。
図３に示すように、ＡＴＭ装置監視システムは、ＡＴＭ装置１００ａ〜１００ｃ、監視部２００を備えている。尚、図示例では、ＡＴＭ装置１００ａ〜１００ｃは３台の場合であるが、この台数に限定されるものではない。
【０００９】
各ＡＴＭ装置１００ａ〜１００ｃおよび監視部２００は、それぞれ互いに通信接続されている。ＡＴＭ装置１００ａ〜１００ｃは、それぞれ、既知のＡＴＭセルを伝送する装置で、本実施の形態では、自装置の装置状態データを他の全てのＡＴＭ装置に通知するよう構成されており、図中の装置Ａデータ、装置Ｂデータ、装置Ｃデータは、それぞれＡＴＭ装置１００ａ〜１００ｃの装置状態データを示すものである。また、監視制御部１０４は、自装置の装置状態データや他装置の装置状態データを監視部２００に送出するための制御部である。尚、これらの構成については、後で詳細に説明する。更に、監視部２００は、各ＡＴＭ装置１００ａ〜１００ｃの監視制御部１０４からの装置状態データに基づいて、各ＡＴＭ装置１００ａ〜１００ｃを監視する装置である。
【００１０】
図１は、各ＡＴＭ装置１００ａ〜１００ｃの内部構成を示すものである。
図示のように、ＡＴＭ装置１００ａ〜１００ｃは、セル種別検出器１０１、監視情報保存部１０２、検出済ビット反転部１０３、監視制御部１０４、自装置監視情報部１０５、アイドルセル検出部１０６、監視情報印加部１０７を備えている。また、セル種別検出器１０１と監視情報保存部１０２とで、アイドルセルを受信した場合、そのアイドルセルに含まれる他装置の装置状態データを保存する装置状態保存手段１０８を構成し、自装置監視情報部１０５〜監視情報印加部１０７で、自装置の装置状態データをアイドルセルに入れて送出する状態送出手段１０９を構成している。また、セル種別検出器１０１〜自装置監視情報部１０５は、受信側１１０の構成であり、自装置監視情報部１０５〜監視情報印加部１０７は送信側１１１の構成である。尚、自装置監視情報部１０５は受信側１１０と送信側１１１の双方に共通する構成である。
【００１１】
セル種別検出器１０１は、ＡＴＭセルのＡＴＭヘッダに基づいて、アイドルセルか否かを検出し、アイドルセルであった場合は、監視情報を取り出し、これを監視情報保存部１０２に送信する機能を有している。また、このとき、セル種別検出器１０１は、保存指示信号を監視情報保存部１０２と検出済ビット反転部１０３に送出する機能を有している。監視情報保存部１０２は、セル種別検出器１０１からの保存指示信号に基づき、監視情報を保存する機能部である。即ち、他装置の装置状態データを保存するものである。検出済ビット反転部１０３は、セル種別検出器１０１からの保存指示信号に基づき、監視情報セルから検出済ビットを検出済（＝０）として、主信号セルとして送出する機能部である。監視制御部１０４は、定期的に監視部２００に対して自装置の装置状態データを送信すると共に、自装置で異常が発生した場合は、その異常を通知するための制御部である。
【００１２】
自装置監視情報部１０５は、自装置の監視情報を保存するための機能部であり、アイドルセル検出部１０６からの出力指示信号が入力された場合は、監視制御部１０４と監視情報印加部１０７に監視情報である装置状態データを出力する機能を有している。アイドルセル検出部１０６は、受信した主信号セルからアイドルセルであることを検出し、出力指示信号を自装置監視情報部１０５と監視情報印加部１０７に送出する機能を有している。監視情報印加部１０７は、アイドルセル検出部１０６から出力指示信号を受け取った場合は、自装置監視情報部１０５から送られた自装置の装置状態データをアイドルセルに格納して主信号セルとして送出する機能を有している。
【００１３】
次に、このように構成されたＡＴＭ装置監視システムの動作について説明する。
図２は、ＡＴＭセルのフォーマットを示す説明図である。
図示のように、ＡＴＭセル１０は、５バイトのＡＴＭヘッダ１１と４８バイトの情報フィールド１２からなる５３バイトのセルである。また、情報フィールドは、監視情報セルＩＤ１２ａ、装置ＩＤ１２ｂ、検出済ビット１２ｃ、監視情報１２ｄを含んでいる。ＡＴＭヘッダ１１は、例えばアイドルセルといったＡＴＭセルの種別を示す情報を含んでいる。また、情報フィールド１２における監視情報セルＩＤ１２ａは、監視情報か否かを示す情報であり、装置ＩＤ１２ｂは、どのＡＴＭ装置１００ａ〜１００ｃの装置状態データであるかを識別するためのＩＤである。更に、検出済ビット１２ｃは、検出済か否かを示すビットであり、検出済であれば“０”検出未であれば“１”といった値に設定されている。監視情報１２ｄは、そのＡＴＭ装置の監視項目毎の装置状態データが含まれるエリアである。尚、監視項目数は運用条件等によって適宜決定されるものである。また、時刻情報も監視情報１２ｄの対象とする。
【００１４】
次に、各ＡＴＭ装置１００ａ〜１００ｃにおける受信側１１０の動作を説明する。
受信側１１０において、図２に示すようなＡＴＭセルを受信すると、セル種別検出器１０１は、次の条件
・ＡＴＭセル１０がアイドルセルであること（ＡＴＭヘッダ１１の値で判定）
・監視情報セルＩＤ１２ａが規定の値（予め決められた監視情報セルを示す値）であること
・検出済ビット１２ｃ＝“１”（検出未）であること
の全てを満たすセルであるかを判定する。そうであった場合、セル種別検出器１０１は、ＡＴＭセル１０の情報フィールド１２の監視情報１２ｄを監視情報保存部１０２に送出すると共に、保存指示信号を、監視情報保存部１０２と検出済ビット反転部１０３に出力する。
【００１５】
監視情報保存部１０２は、セル種別検出器１０１から監視情報１２ｄと保存指示信号を受け取ると、その監視情報１２ｄを、予め設けられた装置ＩＤに該当する記憶エリアに保存する。また、検出済ビット反転部１０３では、セル種別検出器１０１からの保存指示信号に基づいて、ＡＴＭセル１０の検出済ビット１２ｃの値を“１”から“０”に反転して主信号セルを送出する。
【００１６】
次に、送信側１１１の動作について説明する。
送信側１１１のアイドルセル検出部１０６において、そのＡＴＭヘッダ１１の値に基づいて主信号セルがアイドルセルであることを検出すると、自装置監視情報部１０５と監視情報印加部１０７に対して出力指示信号を送出する。自装置監視情報部１０５では、出力指示信号を受信すると、例えば、メモリ状態といった自装置の監視情報を、監視制御部１０４と監視情報印加部１０７に出力する。監視情報印加部１０７では、自装置監視情報部１０５からの監視情報を、アイドルセル検出部１０６からの出力指示信号のタイミングで取り込み、アイドルセルの情報フィールド１２に、監視情報セルＩＤ１２ａ、装置ＩＤ１２ｂ、検出済ビット１２ｃ＝“１”、監視情報１２ｄを書き込み、主信号セルとして他装置（監視情報を保存する自装置以外のＡＴＭ装置１００ａ〜１００ｃ）や後段側の装置に送出する。
【００１７】
このような処理により、図３に示すように、各ＡＴＭ装置１００ａ〜１００ｃには、装置Ａデータ２０ａ、装置Ｂデータ２０ｂ、装置Ｃデータ２０ｃが保存されることになる。
また、監視制御部１０４は、定期的に自装置監視情報部１０５からの装置状態データを監視情報として監視部２００に出力する。
【００１８】
次に、いずれかのＡＴＭ装置１００ａ〜１００ｃにおいて、異常が発生した場合の動作について説明する。
監視制御部１０４は、自装置監視情報部１０５から送出された自装置の監視情報に基づき、異常監視を行う。
図４は、異常判定の説明図である。
図示のように、監視情報１２ｄは複数の監視項目を有している。これらの監視項目としては、例えばメモリ異常や主信号異常あるいはクロック異常といった異常の有無を示す項目である。これらの項目のビット値は、通常状態では例えば“０”とされ、異常時は“１”となるよう設定されている。監視制御部１０４は、各監視項目毎にビット比較を行い、“０”から“１”に変化した監視項目については異常発生と認識して、監視部２００に通知する。例えば、図４に示す状態では、（ａ）の状態（異常なし）から（ｂ）の状態に変化した場合、（ｂ）に示すように監視項目ｍと監視項目ｎが異常であると認識し、これを監視部２００に通知する。
【００１９】
また、いずれかのＡＴＭ装置１００ａ〜１００ｃの監視制御部１０４に異常が発生し、装置状態データや異常発生情報を監視部２００に通知できなくなった場合は次に示すように動作を行う。
今、図３に示すように、ＡＴＭ装置１００ｂの監視制御部１０４に異常が発生し、監視部２００にデータ送信できない状態であるとする。監視部２００は、ＡＴＭ装置１００ｂからの装置状態データを受信できないため、他のＡＴＭ装置１００ａ、１００ｃに対して、ＡＴＭ装置１００ｂの装置状態データの取得要求を行う。これにより、ＡＴＭ装置１００ａおよびＡＴＭ装置１００ｃの監視制御部１０４は、監視情報保存部１０２に保存されている装置Ｂデータを監視部２００に対して送信する。ここで、各ＡＴＭ装置１００ａ，１００ｃの監視制御部１０４から送信される装置Ｂデータは、装置ＩＤ１２ｂと監視情報１２ｄである。
【００２０】
ＡＴＭ装置１００ａ，１００ｃから装置Ｂデータを受信した監視部２００は、その監視項目毎のビット比較により異常が発生しているかを判定する。両装置の装置Ｂデータとも各監視項目において異常を示すビットがない場合は、監視制御部１０４のみが異常であると判定する。一方、装置Ｂデータが、例えば図４（ｂ）に示すような状態であり、かつ、両装置のデータが一致していた場合は、監視項目ｍとｎに異常が発生していると特定する。
【００２１】
以上のように、実施の形態１のＡＴＭ装置監視システムによれば、ＡＴＭセルを用いてデータ伝送を行うＡＴＭ装置に設けられ、自ＡＴＭ装置の装置状態データをアイドルセルに入れて送出する状態送出手段と、アイドルセルを受信した場合、アイドルセルに含まれる他ＡＴＭ装置の装置状態データを保存する装置状態保存手段とを備えたので、各ＡＴＭ装置で、同様の装置状態データを共有できることから、ＡＴＭ装置の異常発生等の検出を確実に行うことができ、信頼性の高いＡＴＭ装置監視システムを得ることができる。
【００２２】
また、本実施の形態では、アイドルセルを用いて装置状態データを伝送しているため、アイドルセルはデータとして処理されないことから、本実施の形態の構成を備えていない装置に送信されても影響を与えないという効果がある。また、ＡＴＭ通信装置においては、一般に有効セルは帯域の全てに亘って送信される状態はほとんど無いため、一定量のアイドルセルの送信は確保でき、従って、各装置における装置状態データの送信は確実に行うことができる。
【００２３】
また、実施の形態１のＡＴＭ装置監視システムによれば、他ＡＴＭ装置の装置状態データを保存した場合、アイドルセルに対して、検出済の情報を付加する検出済ビット反転部を備え、装置状態保存手段は、アイドルセルに検出済の情報が含まれていない場合に、他ＡＴＭ装置の装置状態データを保存するようにしたので、本実施の形態の構成を備えていない装置からアイドルセルを受信しても不要な情報の保存を防止できると共に、このようなアイドルセルを、本実施の形態の構成を備えていない装置に送信してもその装置には影響を与えないという効果がある。
【００２４】
また、実施の形態１のＡＴＭ装置監視システムによれば、装置状態保存手段に保存された他ＡＴＭ装置の装置状態データを、ＡＴＭ装置を監視する監視部に送出する監視制御部を備えたので、監視部は、各ＡＴＭ装置より、そのＡＴＭ装置以外の装置状態データを取得できる効果がある。
【００２５】
また、実施の形態１のＡＴＭ装置監視システムによれば、監視部は、いずれかのＡＴＭ装置より装置状態データが受信できなかった場合、他のＡＴＭ装置からの装置状態データに基づいて、装置状態データが受信できなかったＡＴＭ装置の状態を認識するようにしたので、監視部は、何らかの理由により、あるＡＴＭ装置から装置状態データを取得できない場合でも、そのＡＴＭ装置の装置状態データを取得でき、従って、ＡＴＭ装置監視システムとしての信頼性を向上させることができる効果がある。
【００２６】
また、実施の形態１のＡＴＭ装置監視システムによれば、監視部は、複数のＡＴＭ装置から取得した、装置状態データが受信できなかったＡＴＭ装置の装置状態データに含まれる異常箇所が一致した場合、一致した異常箇所を装置状態データが受信できなかったＡＴＭ装置の異常箇所と特定するようにしたので、異常の発生したＡＴＭ装置の異常箇所を確実に特定することができ、ＡＴＭ装置監視システムとしての信頼性を更に向上させることができる。
【００２７】
実施の形態２．
実施の形態２は、各ＡＴＭ装置１００ａ〜１００ｃの負荷監視制御を行うようにしたものである。
【００２８】
図５は、実施の形態２のＡＴＭ装置監視システムを示す説明図である。
図において、各ＡＴＭ装置１００ａ〜１００ｃの内部構成は、実施の形態１と同様である。即ち、各ＡＴＭ装置１００ａ〜１００ｃは、図１に示した構成と同様であるため、ここでの説明は省略する。監視部２００は、負荷監視制御手段２０１を備えている。負荷監視制御手段２０１は、複数のＡＴＭ装置１００ａ〜１００ｃの中で、所定値以上の負荷を有するＡＴＭ装置１００ａ〜１００ｃがあった場合、そのＡＴＭ装置の装置状態データを、他のＡＴＭ装置から取得する機能を有するものである。
【００２９】
次に、このように構成された実施の形態２の動作について説明する。
監視部２００の負荷監視制御手段２０１は、定期的に各ＡＴＭ装置１００ａ〜１００ｃの負荷状況を監視している。即ち、負荷が予め定めた閾値を超えるＡＴＭ装置１００ａ〜１００ｃがあるかを監視する。負荷が閾値を超えるＡＴＭ装置１００ａ〜１００ｃがあった場合（これを、ＡＴＭ装置１００ｂとする）、負荷監視制御手段２０１は、このＡＴＭ装置１００ｂ以外のＡＴＭ装置のうちいずれかのＡＴＭ装置（これを、ＡＴＭ装置１００ａであるとする）に対して、ＡＴＭ装置１００ｂの装置状態データの取得要求を行う。これにより、ＡＴＭ装置１００ａの監視制御部１０４は、監視情報保存部１０２に保存されている装置Ｂデータを監視部２００に対して送信する。尚、ＡＴＭ装置１００ａから送出される装置Ｂデータは、実施の形態１の場合と同様に、装置ＩＤや監視情報を含んだデータである。
【００３０】
以上の動作により、ＡＴＭ装置１００ｂに負荷が集中した場合でも、ＡＴＭ装置１００ｂは自装置の装置状態データを監視部２００に通知する処理を省くことができ、その結果、負荷軽減を図ることができる。
尚、上記実施の形態２において、負荷が閾値を超えるＡＴＭ装置の代わりに装置状態データを取得するＡＴＭ装置として、負荷が閾値を超えるＡＴＭ装置以外のいずれかのＡＴＭ装置としたが、例えば、いずれかのＡＴＭ装置の中で最も負荷が軽いＡＴＭ装置を選択したり、あるいは、データ取得の優先順位を予め付与しておく、といった構成としてもよい。
【００３１】
以上のように、実施の形態２のＡＴＭ装置監視システムによれば、複数のＡＴＭ装置の中で、所定値以上の負荷を有するＡＴＭ装置があった場合、そのＡＴＭ装置の装置状態データを、他のＡＴＭ装置から取得する負荷監視制御手段を備えたので、複数のＡＴＭ装置のうち、いずれかのＡＴＭ装置に負荷が集中した場合でも、そのＡＴＭ装置の負荷を軽減することができ、複数のＡＴＭ装置からなるシステムの負荷分散を図ることができる。
【００３２】
尚、上記各実施の形態では、ＡＴＭ装置１００ａ〜１００ｃが３台の場合を説明したが、これに限定されるものではなく、複数台のＡＴＭ装置からなるシステムであれば同様に適用可能である。
【図面の簡単な説明】
【００３３】
【図１】この発明の実施の形態１によるＡＴＭ装置監視システムの主要部を示す構成図である。
【図２】この発明の実施の形態１によるＡＴＭ装置監視システムにおけるＡＴＭセルのフォーマットを示す説明図である。
【図３】この発明の実施の形態１によるＡＴＭ装置監視システムの全体構成と動作を示す説明図である。
【図４】この発明の実施の形態１によるＡＴＭ装置監視システムの異常判定の説明図である。
【図５】この発明の実施の形態２によるＡＴＭ装置監視システムを示す説明図である。
【符号の説明】
【００３４】
１０  ＡＴＭセル、１２ａ  監視情報セルＩＤ、１２ｂ  装置ＩＤ、１２ｃ  検出済ビット、１２ｄ  監視情報、２０ａ  装置Ａデータ、２０ｂ  装置Ｂデータ、２０ｃ  装置Ｃデータ、１００ａ〜１００ｃ  ＡＴＭ装置、１０３  検出済ビット反転部、１０４  監視制御部、１０８  装置状態保存手段、１０９  状態送出手段。
【図１】
2006197123.tif 000003
【図２】
2006197123.tif 000004
【図３】
2006197123.tif 000005
【図４】
2006197123.tif 000006
【図５】
2006197123.tif 000007